(57)【要約】【課題】マスク本体６内を上昇するガス類がマスク本体６の上端付近から流出してマスク着用者２の目６９が不快感を持つおそれがあまりないガス類供給用マスク装置１を提供する。【解決手段】ガス類導入用開口５１が向いている方向Ｃ１と真正面を向いている仮想の垂直面７１とが成す角度θ２が、マスク本体６を真横から見て、３０°〜６０°の範囲（さらに好ましくは、３５°〜５５°の範囲、最も好ましくは、４０°〜５０°の範囲）である。【選択図】図１
2015217242.tif 000002
【特許請求の範囲】
【請求項１】
マスク装着者の頭部に装着されることができるマスク本体と、
上記マスク装着者の顔面と上記マスク本体との間に存在するガス類導入空間にガス類を導入することができるガス類導入用開口とを備えているガス類供給用マスク装置において、
上記マスク本体が水平面上に表向きに載置されているマスク載置状態において、上記ガス類導入用開口が向いている方向と上記水平面とが成す第１の角度が、上記マスク本体を真横から見て、３０°〜６０°の範囲であることを特徴とするガス類供給用マスク装置。
【請求項２】
上記マスク載置状態において、上記第１の角度が、上記マスク本体を真横から見て、３５°〜５５°の範囲であることを特徴とする請求項１に記載のガス類供給用マスク装置。
【請求項３】
上記マスク載置状態において、上記第１の角度が、上記マスク本体を真横から見て、４０°〜５０°の範囲であることを特徴とする請求項１に記載のガス類供給用マスク装置。
【請求項４】
上記マスク載置状態において、上記ガス類導入用開口が向いている上記方向と上記マスク本体を真上から見て上記マスク本体を左右に二等分する二等分中心線との成す第２の角度が、上記マスク本体を真上から見て、０°〜１５°の範囲であることを特徴とする請求項１〜３のうちのいずれか１つに記載のガス類供給用マスク装置。
【請求項５】
上記マスク載置状態において、上記第２の角度が、上記マスク本体を真上から見て、０°〜１０°の範囲であることを特徴とする請求項１〜３のうちのいずれか１つに記載のガス類供給用マスク装置。
【請求項６】
上記マスク載置状態において、上記第２の角度が、上記マスク本体を真上から見て、０°〜５°の範囲であることを特徴とする請求項１〜３のうちのいずれか１つに記載のガス類供給用マスク装置。
【請求項７】
マスク装着者の頭部に装着されることができるマスク本体と、
上記マスク装着者の顔面と上記マスク本体との間に存在するガス類導入空間にガス類を導入することができるガス類導入用開口とを備えているガス類供給用マスク装置において、
平均的な体型および平均的な頭部形状を有するマスク装着者がマスク本体を正しく装着して真正面を向いているマスク正装着状態において、上記ガス類導入用開口が向いている方向と上記真正面を向いている仮想の垂直面とが成す第３の角度が、上記マスク本体を真横から見て、３０°〜６０°の範囲であることを特徴とするガス類供給用マスク装置。
【請求項８】
上記マスク正装着状態において、上記第３の角度が、上記マスク本体を真横から見て、３５°〜５５°の範囲であることを特徴とする請求項７に記載のガス類供給用マスク装置。
【請求項９】
上記マスク正装着状態において、上記第３の角度が、上記マスク本体を真横から見て、４０°〜５０°の範囲であることを特徴とする請求項７に記載のガス類供給用マスク装置。
【請求項１０】
上記マスク正装着状態において、上記ガス類導入用開口が向いている上記方向と上記マスク本体を真正面から見て上記マスク本体を左右に二等分する二等分中心線との成す第４の角度が、上記マスク本体を真正面から見て、０°〜１５°の範囲であることを特徴とする請求項７〜９のうちのいずれか１つに記載のガス類供給用マスク装置。
【請求項１１】
上記マスク正装着状態において、上記第４の角度が、上記マスク本体を真正面から見て、０°〜１０°の範囲であることを特徴とする請求項７〜９のうちのいずれか１つに記載のガス類供給用マスク装置。
【請求項１２】
上記マスク正装着状態において、上記第４の角度が、上記マスク本体を真正面から見て、０°〜５°の範囲であることを特徴とする請求項７〜９のうちのいずれか１つに記載のガス類供給用マスク装置。
【請求項１３】
上記マスク本体の外側から上記ガス類導入用開口を通して上記マスク本体の内側にガス類を送り込むためのガス類供給用の筒状部を備え、
上記ガス類供給用筒状部が、上記ガス類をほぼ上方に移送する第１の筒状部と、この第１の筒状部に連結されている第２の筒状部とを備え、
上記第２の筒状部が、上記第１の筒状部から送り込まれる上記ガス類の流れの方向を上記ガス類導入用開口が向いている上記方向に偏向させてから上記ガス類を上記ガス類導入用開口に送り込むように構成されていることを特徴とする請求項１〜１２のうちのいずれか１つに記載のガス類供給用マスク装置。
【請求項１４】
上記ガス類導入用開口を有する第１のコネクタと、上記マスク本体の外側に延在するように、この第１のコネクタに連結されている第２のコネクタとを備え、
上記第２のコネクタが、ほぼ下方に延在している下側の筒状部から斜め上方に向って弯曲した状態で延在するように、上記下側の筒状部と一体的に構成されている上側の筒状部とを備え、
上記上側の筒状部が、上記第１のコネクタに対して回動可能に構成されていることを特徴とする請求項１〜１３のうちのいずれか１つに記載のガス類供給用マスク装置。
【請求項１５】
上記第１のコネクタが、上記ガス類導入用開口が向いている上記方向にほぼ沿って延在する筒状部と、この筒状部の上端側に突出するように、この上端側に配設されているほぼ錐形状の上端面部と、このほぼ錐形状の上端面部のほぼ中心部分に配設されているガス類導入用の開口とを備えていることを特徴とする請求項１〜１４のうちのいずれか１つに記載のガス類供給用マスク装置。
【請求項１６】
上記第１のコネクタの上記筒状部の上記軸心方向の長さが、１２〜２４ｍｍの範囲であり、
上記第１のコネクタの上記筒状部の上記軸心方向とほぼ直交する方向における内側面積が、１４０〜２９０ｍｍ２の範囲であり、
上記ガス類導入用開口の開口面積が、４．８〜９．２ｍｍ２の範囲であることを特徴とする請求項１５に記載のガス類供給用マスク装置。
【請求項１７】
上記第１のコネクタの上記筒状部が、ほぼ円筒形状であり、
上記第１のコネクタの上記筒状部の内径が、１０〜２０ｍｍの範囲であり、
上記ガス類導入用開口が、ほぼ円形状であり、
上記ガス類導入用開口の直径が、２〜４ｍｍの範囲であることを特徴とする請求項１６に記載のガス類供給用マスク装置。
【発明の詳細な説明】
【技術分野】
【０００１】
本発明は、マスク装着者の頭部に装着されることができるマスク本体と、上記マスク装着者の顔面と上記マスク本体との間に存在するガス類導入空間に酸素ガスなどのガス類を導入することができるガス類導入用開口とを備えているガス類供給用マスク装置に関するものである。
【背景技術】
【０００２】
上述のような構成を備えている酸素マスク装置は、図６に示すように、従来から知られている。そして、この図６に示す従来の酸素マスク装置８１は、図１〜図５に示す本発明の一実施例における酸素マスク装置１とは、以下に記述する点が相違している。すなわち、従来の酸素マスク装置８１においては、第１のコネクタ８２の軸心がほぼ上下方向に延在するように、この第１のコネクタ８２がマスク本体８３に取付けられている。そして、第２のコネクタ８４の軸心がほぼ上下方向に延在するように、この第２のコネクタ８４がほぼ円筒状に構成されている。このために、ガス供給用チューブ８５からほぼ上方に向って上昇する酸素ガスは、第３のコネクタ８６をほぼ上方に向って上昇してから、第２のコネクタ８４に導入される。また、この第２のコネクタ８４に導入された酸素ガスは、第１のコネクタ８２を上昇するので、この第１のコネクタ８２の比較的大きな上端開口８７から周囲に拡散しつつ、マスク本体８３内を上昇する。したがって、マスク装着者９１は、鼻９２の下方付近に流動してきた酸素ガスを、鼻孔から比較的容易に吸引することができる。なお、符号８８は、本発明による酸素マスク装置１における３枚の第１の花弁部２５にそれぞれ相当する３本の開孔８８である。
【発明の概要】
【発明が解決しようとする課題】
【０００３】
しかし、従来の酸素マスク装置８１の場合には、第１のコネクタ８２の上端開口８７がこの第１のコネクタ８２の内周開孔（換言すれば、貫通孔）８９と実質的に同一の孔径を有している。このために、上端開口８７からマスク本体８３内に流入する酸素ガスは、マスク本体８３内のほぼ全体に同様に行き渡るおそれがある。したがって、マスク装着者９１が鼻孔から上記酸素ガスを適切に吸引するためには、上記酸素ガスをマスク本体８３内に比較的多量に供給する必要がある。このために、マスク本体８３がマスク着用者９１の顔面９３に良好にはフィットしていないときには、マスク本体８３内を上昇してきた酸素ガスが、マスク本体８３の上端付近から流出して、マスク着用者９１の目９４の方に流れ着いてしまうおそれがある。この結果、マスク着用者９１の目９４が乾いた状態になるおそれがあるので、マスク着用者９１が目９４に不快感を持つおそれがある。
【０００４】
本発明は、従来の酸素マスク装置８１における上述のような欠点を、比較的簡単な構成でもって、効果的に是正し得るようにしたものである。
【課題を解決するための手段】
【０００５】
本発明は、その第１の観点によれば、マスク装着者の頭部に装着されることができるマスク本体と、上記マスク装着者の顔面と上記マスク本体との間に存在するガス類導入空間にガス類を導入することができるガス類導入用開口とを備えているガス類供給用マスク装置において、上記マスク本体が水平面上に表向きに載置されているマスク載置状態において、上記ガス類導入用開口が向いている方向と上記水平面とが成す第１の角度が、上記マスク本体を真横から見て、３０°〜６０°の範囲（好ましくは、３５°〜５５°の範囲、さらに好ましくは、４０°〜５０°の範囲）であることを特徴とするガス類供給用マスク装置に係るものである。そして、本発明の上記第１の観点の第１の態様によれば、上記マスク載置状態において、上記ガス類導入用開口が向いている上記方向と上記マスク本体を真上から見て上記マスク本体を左右に二等分する二等分中心線との成す第２の角度が、上記マスク本体を真上から見て、０°〜１５°の範囲（好ましくは、０°〜１０°の範囲、さらに好ましくは、０°〜５°の範囲）である。
【０００６】
また、本発明は、その第２の観点によれば、マスク装着者の頭部に装着されることができるマスク本体と、上記マスク装着者の顔面と上記マスク本体との間に存在するガス類導入空間にガス類を導入することができるガス類導入用開口とを備えているガス類供給用マスク装置において、平均的な体型および平均的な頭部形状を有するマスク装着者がマスク本体を正しく装着して真正面を向いているマスク正装着状態において、上記ガス類導入用開口が向いている方向と上記真正面を向いている仮想の垂直面とが成す第３の角度が、上記マスク本体を真横から見て、３０°〜６０°の範囲（好ましくは、３５°〜５５°の範囲、さらに好ましくは、４０°〜５０°の範囲）であることを特徴とするガス類供給用マスク装置に係るものである。そして、本発明の上記第２の観点の第１の態様によれば、上記マスク正装着状態において、上記ガス類導入用開口が向いている上記方向と上記マスク本体を真正面から見て上記マスク本体を左右に二等分する二等分中心線との成す第４の角度が、上記マスク本体を真正面から見て、０°〜１５°の範囲（好ましくは、０°〜１０°の範囲、さらに好ましくは、０°〜５°の範囲）である。
【０００７】
また、本発明の上記第１および第２の観点の第２の態様によれば、上記マスク本体の外側から上記ガス類導入用開口を通して上記マスク本体の内側にガス類を送り込むためのガス類供給用の筒状部を備え、上記ガス類供給用筒状部が、上記ガス類をほぼ上方に移送する第１の筒状部と、この第１の筒状部に連結されている第２の筒状部とを備え、上記第２の筒状部が、上記第１の筒状部から送り込まれる上記ガス類の流れの方向を上記ガス類導入用開口が向いている上記方向に偏向させてから上記ガス類を上記ガス類導入用開口に送り込むように構成されている。
【０００８】
また、本発明の上記第１および第２の観点の第３の態様によれば、上記ガス類導入用開口を有する第１のコネクタと、上記マスク本体の外側に延在するように、この第１のコネクタに連結されている第２のコネクタとを備え、上記第２のコネクタが、ほぼ下方に延在している下側の筒状部から斜め上方に向って弯曲した状態で延在するように、上記下側の筒状部と一体的に構成されている上側の筒状部とを備え、上記上側の筒状部が、上記第１のコネクタに対して回動可能に構成されている。
【０００９】
さらに、本発明の上記第１および第２の観点の第４の態様によれば、上記第１のコネクタが、上記ガス類導入用開口が向いている上記方向にほぼ沿って延在する筒状部と、この筒状部の上端側に突出するように、この上端側に配設されているほぼ円錐形状などの錐形状の上端面部と、このほぼ円錐形状などの錐形状の上端面部のほぼ中心部分に配設されているガス類導入用の開口とを備えている。そして、上記第４の態様においては、上記第１のコネクタの上記筒状部の上記軸心方向の長さが、１２〜２４ｍｍの範囲（さらに好ましくは、１３．５〜２２．５ｍｍの範囲、最も好ましくは、１４．５〜２１．５ｍｍの範囲）であり、上記第１のコネクタの上記筒状部の上記軸心方向とほぼ直交する方向における内側面積が、１４０〜２９０ｍｍ２の範囲（さらに好ましくは、１６５〜２７５ｍｍ２の範囲、最も好ましくは、１７５〜２６５ｍｍ２の範囲）であり、上記ガス類導入用開口の開口面積が、４．８〜９．２ｍｍ２の範囲（さらに好ましくは、５．２〜８．８ｍｍ２の範囲、最も好ましくは、５．６〜８．４ｍｍ２の範囲）であるのが好ましい。この場合、上記第１のコネクタの上記筒状部が、ほぼ円筒形状であり、上記第１のコネクタの上記筒状部の内径が、１０〜２０ｍｍの範囲（さらに好ましくは、１１．５〜１８．５ｍｍの範囲、最も好ましくは、１２．５〜１７．５ｍｍの範囲）であり、上記ガス類導入用開口が、ほぼ円形状であり、上記ガス類導入用開口の直径が、２〜４ｍｍの範囲（さらに好ましくは、２．２〜３．８ｍｍの範囲、最も好ましくは、２．４〜３．６ｍｍの範囲）であるのも好ましい。
【発明の効果】
【００１０】
請求項１および７に係る発明によれば、マスク本体がマスク着用者の顔面に良好にフィットしているときも、良好にフィットしていないときも、マスク本体内を上昇するガス類がマスク本体の上端付近から流出してマスク着用者の目の方に流れ着いてしまうおそれがあまりない。したがって、上記ガス類がマスク着用者の目に流れ着いてマスク着用者の目が乾いた状態になるためにマスク着用者が目に不快感を持つおそれがあまりない。そして、請求項２および８に係る発明によれば、上述のようにマスク着用者が目に不快感を持つおそれがさらに少ない。さらに、請求項３および９に係る発明によれば、上述のようにマスク着用者が目に不快感を持つおそれが一層少ない。
【００１１】
また、請求項４および１０に係る発明によれば、マスク着用者が鼻孔からガス類を比較的確実に吸引することができる。そして、請求項５および１１に係る発明によれば、マスク着用者が鼻孔からガス類をさらに確実に吸引することができる。さらに、請求項６および１２に係る発明によれば、マスク着用者が鼻孔からガス類を一層確実に吸引することができる。
【００１２】
また、請求項１３に係る発明によれば、ガス類供給用チューブからガス類供給用筒状部を通してガス類導入用開口に送られる際に、ガス類供給用チューブをガス類供給用筒状部からほぼ下方に吊り下げておくことができる。したがって、ガス類供給用チューブの取り扱いが記述のような従来の酸素マスク装置の場合と同様に比較的簡単である。そして、請求項１４に係る発明によれば、請求項１３に係る発明によって奏する効果を、比較的確実な動作および比較的簡単な構造でもって、さらに確実に奏することができる。
【００１３】
また、請求項１５に係る発明によれば、ガス類導入用開口を通してマスク本体の内側に送り込まれるガス類をマスク着用者の鼻孔付近に比較的確実に送り込むことができる。そして、請求項１６および１７に係る発明によれば、請求項１５に係る発明によって奏する効果を、比較的確実な動作および比較的簡単な構造でもって、さらに確実に奏することができる。
【図面の簡単な説明】
【００１４】
【図１】本発明を酸素マスク装置に適用した一実施例における酸素マスク装置の使用状態での縦断面図である。（実施例１）
【図２】図１に示す酸素マスク装置の使用状態での斜視図である。（実施例１）
【図３】酸素供給用チューブが右側に回動した状態での図２と同様の斜視図である。（実施例１）
【図４】酸素供給用チューブが左側に回動した状態での図２と同様の斜視図である。（実施例１）
【図５】図１に示す酸素マスク装置の、水平面上に載置した状態での縦断面図である。（実施例１）
【図６】従来の酸素マスク装置の使用状態での縦断面図である。（従来例１）
【発明を実施するための最良の形態】
【００１５】
つぎに、本発明の一実施例における酸素マスク装置を、「１、酸素マスク本体の説明」、「２、第１〜第４のコネクタおよびガス供給用チューブの説明」および「３、マスク本体へのガスの吹き出し方向の説明」に項分けして、図１〜図５を参照しつつ説明する。
【００１６】
１、酸素マスク本体の説明
【００１７】
ガス類供給用マスク装置としての酸素マスク装置１は、図２、図５などに示すように、患者などのマスク装着者２の顔面３のほぼ中央の部分（具体的には、鼻部４および口部５ならびにこれらの周辺部）を覆うことができるマスク本体６を備えている。なお、マスク本体６は、軟質塩化ビニールなどのほぼ透明な（換言すれば、透光性の）軟質合成樹脂などから、左右ほぼ対称的な形状および左右ほぼ対称的な模様を有するように、一体成形されていてよい。そして、マスク本体６の外周部分１１のうちの少なくとも左右両側部１１ａ、１１ｂは、そのほぼ全体にわたってほぼ平らな面に（換言すれば、マスク本体６を図５に示すように水平面７に上向きに載置したときに、ほぼ水平な面になるように）構成されている。なお、外周部分１１のうちの上側部１１ｃは、マスク装着者２の鼻部４の形状にほぼ対応するように、前方（換言すれば、外側）に向って多少突出している弯曲形状であってよい。そして、外周部分１１のうちの下側部１１ｄは、マスク装着者２の顎部１２のほぼ上方付近に対応するように、左右両側部１１ａ、１１ｂとほぼ連続しているほぼ平らな面であってもよいが、マスク装着者２の顎部１２のほぼ下方付近に対応するように、前方（換言すれば、外側）に向って多少突出している弯曲形状であってもよい。
【００１８】
マスク本体６の外周部分１１の左右一対の側端部１１ａ、１１ｂのうちのほぼ上方方向における中間部分には、図３などに示すように、これら左右一対の側端部１１ａ、１１ｂから左右両外側に向かってそれぞれほぼ台形状などに突出している左右両側の突出部１３ａ、１３ｂが形成されている。そして、これら左右両側の突出部１３ａ、１３ｂには、柔軟性を有する長手状取付け部材としての偏平形状のゴム紐１４の左右両端部がそれぞれ挿通されて取付けられる左右一対の挿通孔１５がそれぞれ配設されている。また、同様の挿通孔１６が左右一対の側端部１１ａ〜１１ｂのほぼ上下方向に沿って例えば３個ずつ順次配設されている。さらに、ゴム紐１４と同様に構成されていてよい第２のゴム紐１７の両端部が、ゴム紐１４に代えてまたはゴム紐１４に加えて、上記３個ずつの挿通孔１６のうちのいずれか１個に挿通されて取付けられていてもよい。そして、左右一対の側壁部１１ａ、１１ｂのそれぞれには、上下一対の挿通用スリット２１が配設されている。また、これら上下一対の挿通用スリット２１のうちの上側のスリットは、ほぼ左右方向において挿通孔１５（換言すれば、突出部１３ａ、１３ｂ）にそれぞれ隣接している。なお、これらの挿通用スリット２１のうちの左右一対の挿通用スリットには、柔軟性を有する長手状取付け部材としての伸縮包帯の両端部が、偏平形状のゴム紐１４に代えて、それぞれ挿通されて取付けられることができる。なお、ゴム紐１４、１７および伸縮包帯のそれぞれは、マスク装着者２の左側の頬部、後頭部および右側の頬部をそれぞれ通るように、マスク装着者２の頭部に掛け渡される。
【００１９】
マスク本体６のうちの左右両側の多少上方の部分には、図１、図２などに示すように、マスク本体６の内側と外側との間の通気を行うための左右一対の開孔用模様部２２ａ、２２ｂが花模様形状でもってそれぞれ配設されている。なお、これら左右一対の開孔用模様部２２ａ、２２ｂは、マスク本体６がマスク装着者２に装着されている状態においては、マスク装着者２の左右両側の鼻孔に比較的近い位置にそれぞれ配置されている。そして、右側の開孔用模様部２２ｂは、左側の開孔用模様部２２ａと左右ほぼ対称的な形状および模様をそれぞれ有してよい。したがって、以下において、右側の開孔用模様部２２ｂについて具体的に説明して、左側の開孔用模様部２２ａの具体的な説明を省略する。
【００２０】
開孔用模様部２２ｂは、図１、図２などに示すように、マスク本体６の外側から見てほぼ外方に突出しかつほぼ円形状であってよい外周突起部２３を有している。そして、外周突起部２３のほぼ中心には、マスク本体６の外側から見てほぼ外方に突出している中央突起部（換言すれば、花軸部）２４を有している。また、外周突起部２３と中央突起部２４との間には、中央突起部２４から外周突起部２３に向ってほぼ放射状に延在している複数枚（図示の実施例においては、６枚）の花弁部が配設されている。なお、これら複数枚の花弁部は、貫通孔によって形成されている複数枚（図示の実施例においては、３枚）の第１の花弁部２５と、これら第１の花弁部２５の間において外側に向かった凹部によって形成されている複数枚（図示の実施例においては、３枚）の第２花弁部２６とを備えている。そして、複数枚の花弁部２５、２６（換言すれば、複数枚の第１の花弁部２５および複数枚の第２の花弁部２６）は、花軸部２４の外周囲に沿ってほぼ等角度でもって順次配設されていてよい。したがって、マスク本体６の内側面には、図１、図５などに示すように、複数枚（図示の実施例においては、３枚）の第１の花弁部２５がほぼ等角度（図示の実施例においては、６０°間隔）で配設されている。
【００２１】
マスク本体６のうちのほぼ中心の箇所から多少下方の部分には、図１、図５などに示すように、第１および第２のコネクタ３１、３２をそれぞれ取付けるためのコネクタ取付け部３３が配設されている。なお、コネクタ取付け部３３は、ほぼ円柱形状などのほぼ柱形状であってよい開孔３４と、この開孔３４の外周部分を構成するように、開孔３４に向って突出しているほぼリング状の突壁部３５と、この突壁部３５の外周付近から外側に向って突出しているほぼ円筒形状などのほぼ筒状であってよい突壁部３６とを備えている。また、コネクタ取付け部３３（換言すれば、リング状突壁部３５および筒状突壁部３６）は、マスク本体６の水平方向および垂直方向のそれぞれに対して傾斜した状態でもって、マスク本体６に配設されている。そして、コネクタ取付け部３３の上記傾斜方向は、下方から上方に向かって外側に突出する方向であってよい。さらに、コネクタ取付け部３３のほぼ下方側には、このコネクタ取付け部３３に隣接するように、ガス濃度測定用チューブ（図示せず）などを連結することができる第２のコネクタ取付け部４１が配設されている。また、この第２のコネクタ取付け部４１は、ほぼ円形などであってよい開孔４２を備えている。さらに、第２のコネクタ取付け部４１（換言すれば、開孔４２）は、垂直方向に対して多少傾斜している。そして、第２のコネクタ取付け部４１の上記傾斜方向は、下方から上方に向かって外側に多少突出する方向であってよい。なお、上記ガス濃度測定用チューブは、マスク本体６の内部における炭酸ガスなどのガスの濃度を測定するのに用いられることができる。
【００２２】
２、第１〜第４のコネクタおよび酸素供給用チューブの説明
【００２３】
酸素マスク装置１は、図１、図５などに示すように、第１のコネクタ３１、第２のコネクタ３２、第３のコネクタ４３、ガス供給用チューブ４４および第４のコネクタ（図示せず）をそれぞれ備えている。なお、上記第１〜第４のコネクタのそれぞれは、硬質塩化ビニールなどのほぼ透明な（換言すれば、透光性の）硬質合成樹脂などから、一体成形されていてよい。また、ガス類供給用チューブ４４は、軟質塩化ビニールなどのほぼ透明な（換言すれば、透光性の）軟質合成樹脂などから、一体成形されていてよい。そして、第１のコネクタ３１は、この第１のコネクタ３１の軸心方向Ｃ１にほぼ沿って延在するほぼ円筒形状などの筒形状であってよいガス類供給用の筒状部４５と、この筒状部４５の上端側に突出するように、この上端側に配設されているほぼ円錐形状などの錐形状などの上端面部４６とを備えている。また、このほぼ錐形状などの上端面部４６のほぼ中心部分には、ほぼ円形状であってよい酸素導入用（換言すれば、マスク本体６の内側へのガス類導入用）の開口５１が配設されている。さらに、上端面部４６の外周囲には、上記軸心方向Ｃ１に対してほぼ直交する方向に突設されかつほぼリング状であってよい外向きフランジ部５２が配設されている。そして、筒状部４５のうちの外向きフランジ部５２よりも外側寄りの外周囲には、上記軸心方向Ｃ１に対してほぼ直交する方向に突設されかつほぼリング状であってよい第２の外向きフランジ部５３が配設されている。なお、第２の外向きフランジ部５３は、外向きフランジ部５２の内径とほぼ同一の内径を有していてよく、また、外向きフランジ部５２の外形よりも十分小さい外径を有していてよい。また、筒状部４５には、ほぼ円周方向に沿って好ましくはほぼ等間隔（換言すれば、ほぼ９０°間隔）でもって、４本の係合用の爪部５４がそれぞれ形成されている。このために、筒状部４５には、４本の係合用腕部５４の両側において、下端から軸心方向に向って途中まで延在しているスリット（換言すれば、切込み）５５がそれぞれ配設されている。そして、これらの係合用腕部５４の下端部の外側面には、係合用突起部５６がそれぞれ突設されている。なお、これらの係合用腕部５４のそれぞれにおいては、筒状部４５のうちの係合用腕部５４以外の部分に較べて、係合用突起部５６だけが軸心方向Ｃ１における下方側に突出していてよい。そして、第１のコネクタ３１をマスク本体６に取付ける際には、第１のコネクタ３１の筒状部４５がマスク本体６の内側から開孔３４に挿通される。なお、この挿通によって、第２の外向きフランジ部５３がマスク本体６などの弾性変形によりこのマスク本体６のリング状突壁部３５を乗り越える。このために、マスク本体６のリング状突壁部３５が第１のコネクタ３１の外向きフランジ５２と第２の外向きフランジ５３との間に挟み込まれるので、第１のコネクタ３１は、マスク本体６に取付けられる。
【００２４】
図１、図５などに示す第１のコネクタ３１のほぼ円筒形状などのほぼ筒形状の筒状部４５は、図示の実施例においては、内径がほぼ１５ｍｍであり、軸心方向Ｃ１の長さがほぼ１８ｍｍであり、軸心方向Ｃ１とほぼ直交する方向における内側面積が約２２０ｍｍ２である。また、第１のコネクタ３１のガス類導入用開口５１は、上記図示の実施例においては、直径がほぼ３ｍｍであり、開口５１の大きさを示す開口面積が約７ｍｍ２である。そして、第１のコネクタ３１に関する上記各部の数値は、実用性の観点から見て一般的に、つぎの（ａ）項から（ｅ）項に記載の範囲であるのが好ましい：
（ａ）ほぼ円筒形状などのほぼ筒形状の筒状部４５の内径：１０〜２０ｍｍの範囲（さらに好ましくは、１１．５〜１８．５ｍｍの範囲、最も好ましくは、１２．５〜１７．５ｍｍの範囲）、
（ｂ）ほぼ円筒形状などのほぼ筒形状の筒状部４５の軸心方向Ｃ１の長さ：１２〜２４ｍｍの範囲（さらに好ましくは、１３．５〜２２．５ｍｍの範囲、最も好ましくは、１４．５〜２１．５ｍｍの範囲）、
（ｃ）ほぼ円筒形状などのほぼ筒形状の筒状部４５の軸心方向Ｃ１とほぼ直交する方向における内側面積：１４０〜２９０ｍｍ２の範囲（さらに好ましくは、１６５〜２７５ｍｍ２の範囲、最も好ましくは、１７５〜２６５ｍｍ２の範囲）
（ｄ）ガス類導入用開口５１の直径：２〜４ｍｍの範囲（さらに好ましくは、２．２〜３．８ｍｍの範囲、最も好ましくは、２．４〜３．６ｍｍの範囲）、および
（ｅ）ガス類導入用開口５１の開口面積：４．８〜９．２ｍｍ２の範囲（さらに好ましくは、５．２〜８．８ｍｍ２の範囲、最も好ましくは、５．６〜８．４ｍｍ２の範囲）。
【００２５】
第２のコネクタ３２の下端側の部分は、図１、図５などに示すように、第３コネクタ４３が取付けられるほぼ円筒形状などのほぼ筒形状の下側筒状部６１を構成している。なお、この下側筒状部６１は、図１に示す状態においては、ほぼ上下方向に延在している。そして、第２のコネクタ３２の上端側の部分は、軸心方向Ｃ１にほぼ沿って延在するようになるように、この第２のコネクタ３２の下端側の部分から上方に向かって斜め方向に屈曲している。また、第２のコネクタ３２のほぼ円筒状などのほぼ筒状の上付近６２は、第１のコネクタ３１の筒状部４５とマスク本体６の筒状突壁部３６との間に挿入されている。そして、この挿入によって、第２のコネクタ３２のリング状の上壁部６３がマスク本体６の筒状突壁部３６の下端に当接する。また、第１のコネクタ３１の係合用腕部５４の係合用突起部５６が、抜け止めのために、リング状上壁部６３の下側面に係合する。この結果、第２のコネクタ３２は、第１のコネクタ３１に対して比較的回動し易い状態でもって、第１のコネクタ３１に取付けられる。さらに、第３のコネクタ４３は、図１、図２などに示すように、円筒形状などの大径でかつ有底の筒状部６４と、この筒状部６４の下端部に一体成形などにより連結されている円筒形状などの小径の筒状部６５とをそれぞれ備えている。なお、筒状部６４の底部のほぼ中心位置には、筒状部６５と連通するための貫通孔６６が形成されている。そして、小径の筒状部６５内には、ガス供給用チューブ４４の一端部が挿入されて連結されている。また、ガス供給用チューブ４４の上端開口は、大径の筒状部６４に貫通孔６６を介して連通している。さらに、ガス供給用チューブ４４の他端部には、前記第４のコネクタ（図示せず）が連結されている。そして、この第４のコネクタは、酸素ボンベなどのガスボンベ（図示せず）や、病室などに配設されたガス供給用ノズル（図示せず）に、必要に応じて接続されることができる。
【００２６】
３、マスク本体へのガスの吹き出し方向の説明
【００２７】
酸素マスク装置１が図１などに示すようにマスク装着者２の顔面３に装着されているときも装着されていないときも、第１のコネクタ３１からマスク本体６内の空間（換言すれば、顔面３とマスク本体６との間に存在するガス類導入空間）６８に送り込まれるガス流６７の方向（換言すれば、ガス導入用開口５１が向いている方向）は、軸心方向Ｃ１とほぼ一致している。そして、酸素マスク装置１（換言すれば、マスク本体６）が図５に示すように水平面７上に表向きに載置されているとき（以下、「図５に示すマスク載置状態」という。）においては、上記軸心方向Ｃ１は、平面的に見て、マスク本体６（換言すれば、酸素マスク装置１）のほぼ上下方向に延在している。したがって、上記軸心方向Ｃ１は、平面的に見て、図５に示すマスク本体６（換言すれば、酸素マスク装置１）を真上から見て左右に二等分している仮想の二等分中心線（換言すれば、マスク本体６の上下方向に延在する中心線）とほぼ一致しているから、両者の成す角度は、平面的に見て、ほぼ０°である。また、図５に示すマスク載置状態においては、上記軸心方向Ｃ１は、マスク本体６（換言すれば、酸素マスク装置１）の前面部のほぼ下部から後面部のほぼ上部に向って斜め方向に直線的に延在している。そして、上記軸心方向Ｃ１と水平面７との成す角度θ１は、マスク本体６を真横から見て（換言すれば、図５に示すマスク載置状態において）、ほぼ４５°である。さらに、図１には、平均的な体形および平均的な頭部形状をそれぞれ有する人間（換言すれば、マスク装着者２）が酸素マスク装置１（換言すれば、マスク本体６）を正しく装着して正面を向いたマスク装着状態（以下、「図１に示すマスク正装着状態」という。）が示されている。なお、この図１に示すマスク正装着状態は、図５に示すように酸素マスク装置１を水平面７上に表向きに載置した状態に較べて、酸素マスク装置１をほぼ９０°立ち上がらせた点のみが実質的に相違している。したがって、図５における水平面７は、図１においては、仮想の垂直面（換言すれば、仮想の鉛直面）７１に置き換えられている。また、図５における角度θ１は、図１においては、角度θ２に置き換えられている。なお、２つの角度θ１、θ２のそれぞれは、本発明の目的を達成するためには、実用性の観点から見て一般的に、３０°〜６０°の範囲であるのが好ましく、３５°〜５５°の範囲であるのがさらに好ましく、４０°〜５０°の範囲であるのが最も好ましい。そして、上記軸心方向Ｃ１がマスク本体６（換言すれば、酸素マスク装置１）を正面から見てこのマスク本体６を左右に二等分している仮想の二等分中心線（換言すれば、マスク本体６の頭部側から顎部側まで延在する二等分中心線）と成す角度θ３（図示せず）は、本発明の目的を達成するためには、実用性の観点から見て一般的に、０°〜１５°の範囲であるのが好ましく、０°〜１０°の範囲であるのがさらに好ましく、０°〜５°の範囲であるのが最も好ましい。
【００２８】
マスク装着者２が図５に示すように酸素マスク装置１を装着しているマスク装着状態において、前記第４のコネクタに酸素ガスなどのガスが供給されると、このガスは、この第４のコネクタからガス供給用チューブ４４、第３のコネクタ４３をそれぞれ介して第２のコネクタ３２に送り込まれる。そして、第２のコネクタ３２に送り込まれた上記ガスは、第２のコネクタ３２からこの第２のコネクタ３２のガス導出用開口（換言すれば、マスク本体６のガス導入用開口）５１を介してマスク本体６の内側に送り込まれる。なお、マスク本体６の上記ガスの送り込み方向は、マスク本体６の内側へのガス流６７の噴き出し方向（換言すれば、ガス導出用開口５１が向いている方向）にほぼ一致しているから、上記ガスは、マスク装着者２の鼻部４の鼻孔の多少下方の付近に送り込まれる。したがって、マスク装着者２は、上記ガスをきわめて容易にかつきわめて確実に吸引することができる。また、マスク装着者２とマスク本体６との間に存在する余分なガスは、必要に応じて、３枚の第１の花弁部（換言すれば、開孔）２５を通してマスク本体６の外部に自然な流れで放出されることができる。したがって、上記ガスがマスク着用者２の目６９の方に流れ着いて、マスク着用者２が不快感を持つおそれが、あまりない。
【００２９】
ガス供給用チューブ４４が、図２に示すように、正面から見て左右に位置ずれしていない状態においては、第２のコネクタ３２は、図１、図２などに示すように、第１のコネクタ３１の下端対してほぼ真下に位置している。しかし、ガス供給用チューブ４４が何らかの理由でもって図２に示す状態から図３に示すようにマスク本体６の右側に往動したときには、第２のコネクタ３２が第１のコネクタ３１（換言すれば、マスク本体６）に対して図２における右回りに往回動する。したがって、ガス供給用チューブ４４は、このような場合でも、捩れたり折れ曲ったりすることが特になくて、ほぼ正常なガス供給状態を保持する。そして、ガス供給用チューブ４４が図３に示す状態から図２に示す状態に復動するときには、第２のコネクタ３２が第１のコネクタ３１（換言すれば、マスク本体６）に対して図３における左回りに復回動する。したがって、ガス供給用チューブ４４は、このような場合でも、捩れたり折り曲がったりすることが特になくて、ほぼ正常なガス供給状態を保持する。さらに、ガス供給用チューブ４４が何らかの理由でもって図２に示す状態から図４に示すようにマスク本体６の左側に往動したときにも、第２のコネクタ３２が第１のコネクタ３１（換言すれば、マスク本体６）に対して図２における左回りに往回動する。したがって、ガス供給用チューブ４４は、このような場合でも、捩れたり折れ曲ったりすることが特になくて、ほぼ正常なガス供給状態を保持する。そして、ガス供給用チューブ４４が図４に示す状態から図２に示す状態に復動したときには、第２のコネクタ３２が第１のコネクタ３１（換言すれば、マスク本体６）に対して図３における右回りに復回動する。したがって、ガス供給用チューブ４４は、このような場合でも、不必要に捩れたり折れ曲ったりすることが特になくて、ほぼ正常なガス供給状態を保持する。
【００３０】
以上、本発明の一実施例について詳細に説明したが、本発明は、この実施例に限定されるものではなく、特許請求の範囲に記載されている発明の趣旨に基づいて各種の変更および修正を施されることが可能である。
【００３１】
例えば、上述の実施例においては、第１のコネクタ３１を第２のコネクタ３２とは別体に構成した。しかし、第１のコネクタ３１を第２のコネクタ３２と一体に構成することも可能である。
【００３２】
また、上述の実施例においては、第３のコネクタ４３を第２のコネクタ３２とは別体に構成した。しかし、第３のコネクタ４３を第２のコネクタ３２と一体に構成することも可能である。
【００３３】
さらに、上述の実施例においては、３つの第１の花弁部２５によってそれぞれ構成されている３つの貫通孔を常時開放状態にしている。しかし、開孔用模様部２２ａ、２２ｂのそれぞれの外側面に回動可能に取り付けられた透光性などのカバー部材（図示せず）をマスク本体６の外側面にそれぞれ配設してもよい。この場合、上記カバー部材を回動させることによって、上記３つの貫通孔を開放状態にしたり、閉塞状態にしたり、両者の中間の状態にしたりすることができるので、マスク本体６内の通気状態を調整することができる。
【符号の説明】
【００３４】
１      酸素マスク装置（ガス類供給用マスク装置）
２      マスク装着者
３      顔面
６      マスク本体
７      水平面
３１    第１のコネクタ
３２    第２のコネクタ
４５    ガス類供給用筒状部
４６    円錐形状の上端面部
５１    酸素導入用開口（ガス類導入用開口）
６１    下側筒状部
６８    酸素ガス導入空間（ガス類導入空間）
７１    仮想の垂直面
Ｃ１    軸心方向
θ１    第１の角度
θ２    第３の角度
【図１】
2015217242.tif 000003
【図２】
2015217242.tif 000004
【図３】
2015217242.tif 000005
【図４】
2015217242.tif 000006
【図５】
2015217242.tif 000007
【図６】
2015217242.tif 000008